【事件の表示】
　特願２０１３−　９３０６０「携帯電子機器」拒絶査定不服審判事件〔平成２６年１１月１７日出願公開、特開２０１４−２１５８３８、請求項の数（８）〕について、次のとおり審決する。
【結　論】
　原査定を取り消す。
　本願の発明は、特許すべきものとする。
【理　由】
第１　手続の経緯
　本願は，２０１３年４月２５日の出願であって，平成２８年９月２８日付けで拒絶理由が通知され，平成２８年１１月３０日に意見書と手続補正書が提出されたが，平成２９年３月１日付けで拒絶査定がなされ，これに対し，平成２９年６月５日に拒絶査定不服審判の請求がされると同時に手続補正書が提出され，平成２９年７月２０日に前置報告がされたものである。
第２　原査定の概要
　原査定（平成２９年３月１日付け拒絶査定）の概要は次のとおりである。
　本願請求項１−９に係る発明は，下記の引用文献１−２に基づいて，その発明の属する技術の分野における通常の知識を有する者（以下，「当業者」という。）が容易に発明できたものであるから，特許法第２９条第２項の規定により特許を受けることができない。
引用文献等一覧
１．特開２０１３−０７３５２９号公報
２．国際公開第２０１２／１２８３６１号
第３　審判請求時の補正について
　審判請求時の補正は，特許法第１７条の２第３項から第６項までの要件に違反しているものとはいえない。
　なお，「第４　本願発明」から「第６　対比・判断」までに示すように，補正後の請求項１−８に係る発明は，独立特許要件を満たすものである。
第４　本願発明
　本願請求項１−８に係る発明（以下，それぞれ「本願発明１」−「本願発明８」という。）は，平成２９年６月５日に提出された手続補正書による手続補正で補正された特許請求の範囲の請求項１−８に記載された事項により特定される発明であり，本願発明１は以下のとおりの発明である。
「【請求項１】
　複数のオブジェクトを含む画面を表示する表示部と，
　前記表示部を覆うように設けられ，ユーザからのタッチ入力を受け付けるタッチ入力部と，
　前記複数のオブジェクトが表示されている場合においてユーザによるタッチ入力を受けたときに，タッチ位置が特定の領域にあるか否かを判断する位置判断部と，
　前記位置判断部により前記タッチ位置が特定の領域にあると判断された場合に，ユーザによる前記タッチ入力を受け付けてから第１の時間が経過したか否かを判断する時間判断部と，
　前記時間判断部により第１の時間が経過したと判断された場合は，前記表示部に表示されている前記複数のオブジェクトのうち，第１のオブジェクトを前記特定の領域における前記タッチ位置に表示する表示制御部と，
　を有する携帯電子機器。」
　なお，本願発明２−８の概要は以下のとおりである。
　本願発明２−８は，本願発明１を直接又は間接的に引用した発明である。
第５　引用文献，引用発明等
１．引用文献１について
　原査定の拒絶の理由に引用された引用文献１には，図面とともに次の事項が記載されている（なお，下線は重要箇所に対して当審が付した。以下，同様。）。
「【００１２】
（第１実施形態）
　図１から図３を参照しながら，第１実施形態に係るスマートフォン１の外観について説明する。図１から図３に示すように，スマートフォン１は，ハウジング２０を有する。ハウジング２０は，フロントフェイス１Ａと，バックフェイス１Ｂと，サイドフェイス１Ｃ１〜１Ｃ４とを有する。フロントフェイス１Ａは，ハウジング２０の正面である。バックフェイス１Ｂは，ハウジング２０の背面である。サイドフェイス１Ｃ１〜１Ｃ４は，フロントフェイス１Ａとバックフェイス１Ｂとを接続する側面である。以下では，サイドフェイス１Ｃ１〜１Ｃ４を，どの面であるかを特定することなく，サイドフェイス１Ｃと総称することがある。
【００１３】
　
スマートフォン１は，タッチスクリーンディスプレイ２と
有する。
【００１４】
　
タッチスクリーンディスプレイ２は，ディスプレイ２Ａと，タッチスクリーン２Ｂとを有する。
ディスプレイ２Ａは，文字，画像，記号又は図形等を表示する。
【００１５】
　タッチスクリーン２Ｂは，タッチスクリーン２Ｂに対する指，又はスタイラスペン等の接触を検出する。
タッチスクリーン２Ｂは，複数の指，又はスタイラスペン等がタッチスクリーン２Ｂに接触した位置を検出することができる。
【００１６】
　タッチスクリーン２Ｂの検出方式は，静電容量方式，抵抗膜方式，表面弾性波方式（又は超音波方式），赤外線方式，電磁誘導方式，及び荷重検出方式等の任意の方式でよい。以下では，説明を簡単にするため，タッチスクリーン２Ｂが接触を検出する指，又はスタイラスペン等は単に「指」ということがある。
【００１７】
　
スマートフォン１は，タッチスクリーン２Ｂにより検出された接触，接触が行われた位置，接触が行われた時間及び接触が行われた位置に基づいてジェスチャの種別を判別する。
【００１８】
　タッチは，タッチスクリーン２Ｂに指が触れるジェスチャである。
スマートフォン１は，タッチスクリーン２Ｂに指が接触するジェスチャをタッチとして判別する。
【００１９】
　リリースは，指がタッチスクリーン２Ｂから離れるジェスチャである。
スマートフォン１は，指がタッチスクリーン２Ｂから離れるジェスチャをリリースとして判別する。
【００２０】
　タップは，タッチに続いてリリースをするジェスチャである。
スマートフォン１は，タッチに続いてリリースをするジェスチャをタップとして判別する。
「【００２５】
　図４を参照しながら，ディスプレイ２Ａに表示される画面の例について説明する。図４は，ホーム画面の一例を示している。ホーム画面は，デスクトップ，又は待受画面と呼ばれることもある。
ホーム画面は，ディスプレイ２Ａに表示される。
【００２６】
　スマートフォン１は，ホーム画面にアイコンを配置することができる。図４に示す
ホーム画面４０には，複数のアイコン５０が配置されている。
例えば，スマートフォン１は，メールアプリケーションに対応付けられたアイコン５０に対するタップが検出されると，メールアプリケーションを実行する。
「【００３５】
　図５は，スマートフォン１の構成を示すブロック図である。
スマートフォン１は，タッチスクリーンディスプレイ２と，
ストレージ９と，コントローラ１０と，
を有する。
【００３６】
　
タッチスクリーンディスプレイ２は，上述したように，ディスプレイ２Ａと，タッチスクリーン２Ｂとを有する。ディスプレイ２Ａは，文字，画像，記号，又は図形等を表示する。タッチスクリーン２Ｂは，ジェスチャを検出する。
「【００４４】
　
ストレージ９は，例えば，制御プログラム９Ａ，メールアプリケーション９Ｂ，ブラウザアプリケーション９Ｃ，テーブル９Ｄおよび設定データ９Ｚを記憶する。
【００４５】
　
制御プログラム９Ａは，スマートフォン１を稼働させるための各種制御に関する機能を提供する。
制御プログラム９Ａが提供する機能には，タッチスクリーン２Ｂを介して検出されたジェスチャに応じて，ディスプレイ２Ａに表示されている情報を変更する等の各種制御を行う機能が含まれる。
「【００５０】
　
コントローラ１０は，例えば，制御プログラム９Ａを実行することにより，タッチスクリーン２Ｂを介して検出されたジェスチャに応じて，ディスプレイ２Ａに表示されている情報を変更する等の各種制御を実行する。
「【００８５】
（第２実施形態）
　次に，図１０から図１３を参照して，本発明の第２実施形態について説明する。本発明の第２実施形態に係るスマートフォンの構成は，第１実施形態に係るスマートフォンと同様である。そこで，以下では，第２実施形態に係るスマートフォンをスマートフォン１として説明を行う。また，以下では，第１実施形態と共通する事項については説明を省略し，第１実施形態と異なる部分のみ説明を行う。
【００８６】
　図１０は，第２実施形態に係るスマートフォンが行う制御の第１の例を示す図である。
スマートフォン１は，
ホーム画面４０をディスプレイ２Ａに表示している。
ステップＳ３１では，４つのアイコン５０がホーム画面４０の左上領域に配置されており，その他の領域にはアイコン５０が配置されていない。
「【００９３】
　図１２は，第２実施形態に係るスマートフォンが行う制御の第３の例を示す図である。ステップＳ５１は，利用者が，図１０のステップＳ３１と同様のホーム画面４０をディスプレイ２Ａに表示しているスマートフォン１の右下部分を手に持った状態を示す。
【００９４】
　そして，
ステップＳ５１では，利用者の親指Ｆ１が，ステップＳ３１と同様に，ホーム画面４０の右下領域においてアイコン５０が配置されていない領域Ｒをタップしている。この場合，スマートフォン１は，タッチスクリーンディスプレイ２を介して，ホーム画面４０においてアイコン５０が配置されていない領域Ｒに対するタップを検出する。
【００９５】
　スマートフォン１は，ステップＳ５１でホーム画面４０の領域Ｒに対するタップを検出すると，ステップＳ５２に示す処理を行う。スマートフォン１は，
ステップＳ５２として，４つのアイコン５０の中の“Ｍａｉｌ”アイコンを，ステップＳ５１でタップされた領域Ｒに向かって移動させる。
【００９６】
　そして，
ステップＳ５３では，利用者の親指Ｆ１が，ステップＳ５２に示す状態のホーム画面４０における領域Ｒを再びタップしている。スマートフォン１は，ホーム画面４０の領域Ｒに対するタップを検出する。
【００９７】
　スマートフォン１は，ステップＳ５３でホーム画面４０の領域Ｒに対するタップを検出すると，ステップＳ５４に示す処理を行う。スマートフォン１は，
ステップＳ５４として，“Ｃｌｏｃｋ”アイコンを，ステップＳ５３でタップされた領域Ｒに向かって移動させる。領域Ｒに向かって移動してきた“Ｃｌｏｃｋ”アイコンは，ステップＳ５２およびＳ５３で“Ｍａｉｌ”アイコンが配置されていた位置に配置される。そして，“Ｍａｉｌ”アイコンは，ステップＳ５２およびＳ５３で配置されていた位置から左下に移動している。
「【０１０５】
　以上に述べたように，第２実施形態に係るスマートフォン１は，ホーム画面４０におけるアイコン５０が配置されていない所定の領域Ｒがタップされると，ホーム画面４０に配置されたアイコン５０を，同じホーム画面４０内で領域Ｒに向かって移動させる。これにより，装置の操作性を向上させることができる。例えば，スマートフォン１は，利用者が指でタッチスクリーンディスプレイ２に対する操作を行う場合に，
アイコン５０をタップされた領域に向かって移動させることで，ホーム画面４０において指が届きやすい領域にアイコン５０を表示することができる。
【０１０６】
　また，図１１に示す第２の例では，スマートフォン１は，タップが検出された領域Ｒに向かってアイコン５０を移動させる際に，移動後のアイコン５０のサイズを移動前のサイズよりも小さくする。これにより，装置の操作性をさらに向上させることができる。例えば，スマートフォン１は，アイコン５０の移動が完了した状態で，アイコン５０をホーム画面４０において指が届きやすい領域に表示することができる。
【０１０７】
　また，図１２に示す第３の例では，
スマートフォン１は，領域Ｒがタップされる度にアイコン５０を一つずつ領域Ｒに向かって移動させる。
　上記記載及び図面並びにこの分野における技術常識を考慮すると，引用文献１には次の発明（以下，「引用発明」という。）が記載されていると認められる。
「文字，画像，記号又は図形等を表示するディスプレイ２Ａと，複数の指，又はスタイラスペン等が接触した位置を検出するタッチスクリーン２Ｂとを有するタッチスクリーンディスプレイ２を有するスマートフォン１であって（【００１３】−【００１５】），
　タッチスクリーン２Ｂにより検出された接触，接触が行われた位置，接触が行われた時間及び接触が行われた位置に基づいてジェスチャの種別を判別し（【００１７】），
　タッチスクリーン２Ｂに指が接触するジェスチャをタッチとして判別し（【００１８】），
　指がタッチスクリーン２Ｂから離れるジェスチャをリリースとして判別し（【００１９】），
　タッチに続いてリリースをするジェスチャをタップとして判別し（【００２０】），
　ディスプレイ２Ａに表示されるホーム画面４０に複数のアイコン５０を配置することができ，例えば，メールアプリケーションに対応付けられたアイコン５０に対するタップが検出されると，メールアプリケーションを実行し（【００２５】−【００２６】），
　さらに，ストレージ９とコントローラ１０とを有し（【００３５】），
　ストレージ９は，例えば，制御プログラム９Ａ，メールアプリケーション９Ｂ，ブラウザアプリケーション９Ｃ，テーブル９Ｄおよび設定データ９Ｚを記憶し（【００４４】），
　制御プログラム９Ａは，スマートフォン１を稼働させるための各種制御に関する機能を提供し，この制御プログラム９Ａが提供する機能には，タッチスクリーン２Ｂを介して検出されたジェスチャに応じて，ディスプレイ２Ａに表示されている情報を変更する等の各種制御を行う機能が含まれ（【００４５】），
　コントローラ１０は，例えば，制御プログラム９Ａを実行することにより，タッチスクリーン２Ｂを介して検出されたジェスチャに応じて，ディスプレイ２Ａに表示されている情報を変更する等の各種制御を実行し（【００５０】），
　制御の例として（【００９３】），
　ステップＳ５１では，利用者の親指Ｆ１が，ホーム画面４０の右下領域においてアイコン５０が配置されていない領域Ｒをタップすると，スマートフォン１は，タッチスクリーンディスプレイ２を介して，ホーム画面４０においてアイコン５０が配置されていない領域Ｒに対するタップを検出し（【００９４】），
  ステップＳ５２として，４つのアイコン５０の中の“Ｍａｉｌ”アイコンを，ステップＳ５１でタップされた領域Ｒに向かって移動させ（【００９５】），
　ステップＳ５３では，利用者の親指Ｆ１が，ステップＳ５２に示す状態のホーム画面４０における領域Ｒを再びタップすると，スマートフォン１は，ホーム画面４０の領域Ｒに対するタップを検出し（【００９６】），
　ステップＳ５４として，“Ｃｌｏｃｋ”アイコンを，ステップＳ５３でタップされた領域Ｒに向かって移動させ，領域Ｒに向かって移動してきた“Ｃｌｏｃｋ”アイコンは，ステップＳ５２およびＳ５３で“Ｍａｉｌ”アイコンが配置されていた位置に配置され，“Ｍａｉｌ”アイコンは，ステップＳ５２およびＳ５３で配置されていた位置から左下に移動し（【００９７】），
　このように領域Ｒがタップされる度にアイコン５０を一つずつ領域Ｒに向かって移動させ，ホーム画面４０において指が届きやすい領域にアイコン５０を表示することができる（【０１０５】，【０１０７】），
　スマートフォン１。」
２．引用文献２について
　また，原査定の拒絶の理由に引用された上記引用文献２の段落[0029]−[0036]及び図３の記載からみて，当該引用文献２には，タッチパネル２上の入力領域への長押下に関する制御として（[0029]），利用者が指Ｆ１を文字入力領域５４の内部でタッチパネル２に接触させ続けた場合，時間検出部３８によって検出される操作時間に連動して，文字入力領域５４における長押下に割り当てられている動作のうち操作時間に対応する動作をタッチパネル２に順次表示させ（[0031]，[0035]），表示される各動作は，メニュー５５の選択項目の１つとなり，メニュー５５では，最後に表示された動作が選択状態となり，全ての動作が表示される前に利用者が指Ｆ１をタッチパネル２から離すと，その時点で選択状態となっている動作を実行する（[0036]）という技術的事項が記載されていると認められる。
第６　対比・判断
１．本願発明１について
（１）引用発明との対比・判断
ア　対比
　本願発明１と引用発明とを対比すると，次のことがいえる。
（ア）引用発明の「スマートフォン１」は，本願発明１の「携帯電子機器」に含まれる。
（イ）引用発明は，「ディスプレイ２Ａに表示されるホーム画面４０に複数のアイコン５０を配置することができ」るものであり，引用発明における「複数のアイコン５０」，この「複数のアイコン５０」が配置される「ホーム画面４０」は，それぞれ本願発明１の「複数のオブジェクト」，「画面」に含まれる。
　そうすると，引用発明の「ディスプレイ２Ａ」と本願発明の「表示部」とは，「複数のオブジェクトを含む画面を表示する」という点で共通するから，引用発明の「ディスプレイ２Ａ」は，本願発明１の「表示部」に相当する。
　したがって，本願発明１と引用発明とは，「複数のオブジェクトを含む画面を表示する表示部」を有する点で一致する。
（ウ）下記ａ−ｃで示すように，本願発明１と引用発明とは，「ユーザからのタッチ入力を受け付けるタッチ入力部」を有する点で一致するといえる。
ａ　引用発明は，「複数の指，又はスタイラスペン等が接触した位置を検出するタッチスクリーン２Ｂ」を有しており，この「複数の指，又はスタイラスペン等」による「接触」は，「ユーザからの接触」であるといえる。また，この「タッチスクリーン２Ｂ」は，「接触」の「位置を検出」しているのであるから，「接触」を「受け付け」ていることは明らかである。したがって，引用発明の「タッチスクリーン２Ｂ」は，「ユーザからの接触を受け付ける」ものであるといえる。
ｂ　一方，本願発明１は，「前記表示部を覆うように設けられ，ユーザからのタッチ入力を受け付けるタッチ入力部」を有しているが，この本願発明１における「タッチ入力」に関して，本願明細書では，「タッチ入力」という用語が用いられておらず，その定義は明記されていない。しかしながら，段落【００２１】の「
入力部１１３は，ユーザによるタッチを検出し
タッチとは，ユーザが指等で入力部１１３を触ること
ユーザが指等で入力部１１３を触ること
ｃ　そうすると，引用発明の「タッチスクリーン２Ｂ」が「ユーザからの接触を受け付ける」ことは，本願発明１の「タッチ入力部」が「ユーザからのタッチ入力を受け付ける」ことに相当し，本願発明１と引用発明とは，「ユーザからのタッチ入力を受け付けるタッチ入力部」を有する点で一致する。
（エ）下記ａ−ｄで示すように，本願発明１と引用発明とは，「前記複数のオブジェクトが表示されている場合においてユーザによるタッチ操作を受けたときに，タッチ操作の位置が特定の領域にあるか否かを判断する手段」を有する点で一致するといえる。
ａ　本願発明１は，「前記複数のオブジェクトが表示されている場合においてユーザによるタッチ入力を受けたときに，タッチ位置が特定の領域にあるか否かを判断する位置判断部」を有している。ここで，上記（イ）で述べたとおり，「タッチ入力」とは，「タッチ（接触）」であると解される。
ｂ　引用発明では，「ホーム画面４０」に「複数のアイコン５０」が配置されており，「タッチスクリーンディスプレイ２を介して，ホーム画面４０においてアイコン５０が配置されていない領域Ｒに対するタップを検出」すると，「“Ｍａｉｌ”アイコン」を「タップされた領域Ｒに向かって移動させ」，「再びタップ」を検出すると，「“Ｃｌｏｃｋ”アイコン」を「領域Ｒに向かって移動させ」る。また，引用発明は，「例えば，メールアプリケーションに対応付けられたアイコン５０に対するタップが検出されると，メールアプリケーションを実行するもの」，すなわち，「アイコン５０に対するタップ」が検出されると，当該アイコンに対応付けられた「アプリケーションを実行」するものである。
　このように，引用発明は，「アイコン５０が配置されていない領域Ｒに対するタップ」を検出したときと，「アイコン５０に対するタップ」を検出したときとで，異なる動作を行うものであるから，「タップ」が「アイコン５０」と「アイコン５０が配置されていない領域Ｒ」とのいずれに対するものかを判断していることは明らかである。そして，引用発明は，「コントローラ１０」が，「タッチスクリーン２Ｂを介して検出されたジェスチャに応じて，ディスプレイ２Ａに表示されている情報を変更する等の各種制御を実行」するものであるから，上記の判断を「コントローラ１０」が行っていることも明らかである。
　そうすると，引用発明は，「複数のアイコン５０が配置されたホーム画面４０に対するタップを検出すると，当該タップがアイコン５０が配置されていない領域Ｒに対するものであるか否かを判断するコントローラ１０」を有しているといえる。
ｃ　上記（イ）で述べたとおり，引用発明における「複数のアイコン５０」は，本願発明１の「複数のオブジェクト」に含まれる。そして，「複数のアイコン５０」が「ホーム画面４０」に「配置され」ていることは，この「複数のアイコン５０」がディスプレイ２Ａに「表示されている」ことに他ならない。また，引用発明における「タップ」と本願発明１の「タッチ入力（タッチ）」とは，いずれも「タッチ操作」であるという点で共通する。さらに，引用発明の「アイコン５０が配置されていない領域Ｒ」は，「アイコン５０が配置されていない」という「特定の領域」であるといえるから，本願発明１の「特定の領域」に相当する。
ｄ　上記ａ−ｃを総合すると，引用発明の「コントローラ１０」と本願発明１の「位置判断部」とは，「前記複数のオブジェクトが表示されている場合においてユーザによるタッチ操作を受けたときに，タッチ操作の位置が特定の領域にあるか否かを判断する手段」であるという点で共通するといえる。
　したがって，本願発明１と引用発明とは，「前記複数のオブジェクトが表示されている場合においてユーザによるタッチ操作を受けたときに，タッチ操作の位置が特定の領域にあるか否かを判断する手段」を有する点で一致する。
（オ）下記ａ−ｃで示すように，本願発明１と引用発明とは，「前記表示部に表示さている複数のオブジェクトのうち，第１のオブジェクトを指が届きやすい領域に表示する手段」を有する点で一致するといえる。
ａ　上記（エ）のｂで述べたとおり，引用発明では，「ホーム画面４０」に「複数のアイコン５０」が配置されており，「タッチスクリーンディスプレイ２を介して，ホーム画面４０においてアイコン５０が配置されていない領域Ｒに対するタップを検出」すると，「“Ｍａｉｌ”アイコン」を「タップされた領域Ｒに向かって移動させ」，「再びタップ」を検出すると，「“Ｃｌｏｃｋ”アイコン」を「領域Ｒに向かって移動させ」ること，すなわち，「領域Ｒがタップされる度にアイコン５０を一つずつ領域Ｒに向かって移動させ」ることにより，「ホーム画面４０において指が届きやすい領域にアイコン５０を表示する」ことができる。ここで，「複数のアイコン５０」が「ディスプレイ２Ａ」に表示されていることは明らかである。
　また，引用発明は，「コントローラ１０」が，「タッチスクリーン２Ｂを介して検出されたジェスチャに応じて，ディスプレイ２Ａに表示されている情報を変更する等の各種制御を実行」するものである。
　そうすると，引用発明は，「ディスプレイ２Ａに表示されている複数のアイコンのうち，“Ｍａｉｌ”アイコンを領域Ｒに向かって移動させ，指が届きやすい領域に表示するコントローラ１０」を有しているといえる。
ｂ　引用発明における最初の「タップ」によって移動させられる「“Ｍａｉｌ”アイコン」は，本願発明１における「第１のオブジェクト」に含まれる。また，引用発明が「“Ｍａｉｌ”アイコン」を「タップされた領域Ｒに向かって移動させ」，「ホーム画面４０において指が届きやすい領域にアイコン５０を表示する」ことと，本願発明１の「表示制御部」が「第１のオブジェクトを前記特定の領域における前記タッチ位置に表示する」こととは，いずれもオブジェクト又はアイコンを「指が届きやすい領域に表示する」という点で共通している。
ｃ　そうすると，引用発明の「コントローラ１０」と本願発明１の「表示制御部」とは，「前記表示部に表示さている複数のオブジェクトのうち，第１のオブジェクトを指が届きやすい領域に表示する手段」であるという点で共通するといえる。
　したがって，本願発明１と引用発明とは，「前記表示部に表示さている複数のオブジェクトのうち，第１のオブジェクトを指が届きやすい領域に表示する手段」を有する点で一致する。
　したがって，本願発明１と引用発明との間には，次の一致点，相違点があるといえる。
（一致点）
「複数のオブジェクトを含む画面を表示する表示部と，
　ユーザからのタッチ入力を受け付けるタッチ入力部と，
　前記複数のオブジェクトが表示されている場合においてユーザによるタッチ操作を受けたときに，タッチ操作の位置が特定の領域にあるか否かを判断する手段と，
　前記表示部に表示されている前記複数のオブジェクトのうち，第１のオブジェクトを指が届きやすい領域に表示する手段と，
　を有する携帯電子機器。」
（相違点）
（相違点１）一致点の「ユーザからのタッチ入力を受け付けるタッチ入力部」に関して，本願発明１では，「前記表示部を覆うように設けられ」ているのに対して，引用発明では，「タッチスクリーン２Ｂ」が「ディスプレイ２Ａ」を「覆うように設けられ」ていることが明らかではない点。
（相違点２）一致点の「前記複数のオブジェクトが表示されている場合においてユーザによるタッチ操作を受けたときに，タッチ操作位置が特定の領域にあるか否かを判断する手段」に関して，本願発明１は，具体的手段である「位置判断部」が「判断」するのは，「タッチ入力を受けたときに，タッチ位置が特定の領域にあるか否か」であるのに対して，引用発明は，具体的手段である「コントローラ１０」が「判断」するのは，「タップを検出すると，当該タップがアイコン５０が配置されていない領域Ｒに対するものであるか否か」である点。
（相違点３）本願発明１は，「前記位置判断部により前記タッチ位置が特定の領域にあると判断された場合に，ユーザによる前記タッチ入力を受け付けてから第１の時間が経過したか否かを判断する時間判断部」を有するのに対して，引用発明は，このような「時間判断部」を有しない点。
（相違点４）一致点の「前記表示部に表示されている前記複数のオブジェクトのうち，第１のオブジェクトを指が届きやすい領域に表示する手段」に関して，本願発明１は，具体的手段である「表示制御部」が，「前記時間判断部により第１の時間が経過したと判断された場合は，前記表示部に表示されている前記複数のオブジェクトのうち，第１のオブジェクトを前記特定の領域における前記タッチ位置に表示する」のに対して，引用発明は，具体的手段である「コントローラ１０」が，このような「時間判断部」の「判断」に依存しておらず，且つ，「“Ｍａｉｌ”アイコン」を「アイコン５０が配置されていない領域Ｒ」の「タッチ位置」に表示するものではない点。
　事案に鑑み，まず上記相違点４について検討する。
　引用発明は，「タッチスクリーン２Ｂに指が接触するジェスチャをタッチとして判別し」，「指がタッチスクリーン２Ｂから離れるジェスチャをリリースとして判別し」，「タッチに続いてリリースをするジェスチャをタップとして判別」する。また，「アイコン５０に対するタップ」が検出されると，当該アイコンに対応付けられた「アプリケーションを実行」する。さらに，「アイコン５０が配置されていない」「領域Ｒがタップされる度にアイコン５０を一つずつ領域Ｒに向かって移動させ，ホーム画面４０において指が届きやすい領域にアイコン５０を表示することができる」ものである。
　このような引用発明において，「領域Ｒ」の「タッチ位置」に「アイコン５０」を表示すると，再度の「領域Ｒ」への「タップ」により，当該「領域Ｒ」に表示された「アイコン５０」に対応付けられたアプリケーションを実行することとなり，「領域Ｒがタップされる度にアイコン５０を一つずつ領域Ｒに向かって移動させ」ることができなくなってしまうという不都合が生じる。したがって，引用発明において「領域Ｒ」の「タッチ位置」に「アイコン５０」を表示する構成とすることには，阻害要因がある。
　一方，引用文献２には，上述したとおり，利用者が指Ｆ１を文字入力領域５４の内部でタッチパネル２に接触させ続けた場合，時間検出部３８によって検出される操作時間に連動して，文字入力領域５４における長押下に割り当てられている動作のうち操作時間に対応する動作をタッチパネル２に順次表示させ，表示される各動作は，メニュー５５の選択項目の１つとなり，メニュー５５では，最後に表示された動作が選択状態となり，全ての動作が表示される前に利用者が指Ｆ１をタッチパネル２から離すと，その時点で選択状態となっている動作を実行するという技術的事項が記載されているが，順次表示される各動作の表示位置を，タッチパネル２に対して指Ｆ１が接触する位置とすることは記載されていない。また，仮にこの引用文献２に記載されている技術的事項を引用発明に付加できたとしても，引用発明において，「領域Ｒ」の「タッチ位置」に「アイコン５０」を表示する構成とする合理的理由はない。
　したがって，本願発明１は，相違点１−３を検討するまでもなく，当業者であっても引用発明及び引用文献２に記載された技術的事項に基づいて容易に発明できたものであるとはいえない。
２．本願発明２−８について
　本願発明２−８も，本願発明１の「前記時間判断部により第１の時間が経過したと判断された場合は，前記表示部に表示されている前記複数のオブジェクトのうち，第１のオブジェクトを前記特定の領域における前記タッチ位置に表示する表示制御部」と同一の構成を有するものであるから，本願発明１と同じ理由により，当業者であっても引用発明及び引用文献２に記載された技術的事項に基づいて，当業者が容易に発明をすることができたものとはいえない。
第７　原査定について
　理由（特許法第２９条第２項）について
　本願発明１−８は，「前記時間判断部により第１の時間が経過したと判断された場合は，前記表示部に表示されている前記複数のオブジェクトのうち，第１のオブジェクトを前記特定の領域における前記タッチ位置に表示する表示制御部」という事項を有しており，当業者であっても，拒絶査定において引用された引用文献１−２に基づいて，容易に発明できたものとはいえない。
　したがって，原査定の理由を維持することはできない。
第８　むすび
　以上のとおり，原査定の理由によっては，本願を拒絶することはできない。
　また，他に本願を拒絶すべき理由を発見しない。
　よって，結論のとおり審決する。